(57)【要約】【課題】操作部材を有する変速操作装置において、変速操作を確実に行えるようにする。【解決手段】自転車用変速操作装置は、装着部２０と、巻取レバー２２及び解除レバー２４と、ケーブル係止体２６と、位置保持機構２８と、滑り止め部３２，３３と、を備えている。装着部は、自転車に装着可能である。操作部材は、操作面４２ａ，４５ａを有し、装着部に移動可能に装着される。ケーブル係止体は、装着部に移動可能に装着され、変速ケーブル４６が係止される。位置保持機構は、装着部に支持され、巻取レバー及び解除レバーの操作に応じてケーブル係止体を変速装置の複数の変速位置に対応した位置に保持する。滑り止め部は、操作部材の操作面に操作部材と別の材質で設けられたものである。【選択図】図１
2007320510.tif 000002
【特許請求の範囲】
【請求項１】
自転車用変速操作装置であって、
前記自転車に装着可能な装着部と、
操作面を有し前記装着部に移動可能に装着された少なくとも一つの操作部材と、
前記装着部に移動可能に装着され、変速ケーブルが係止されるケーブル係止体と、
前記装着部に支持され、前記操作部材の操作に応じて前記ケーブル係止体を変速装置の複数の変速位置に対応した位置に保持する位置保持機構と、
前記操作部材前記操作面に前記操作部材と別の材質で設けられた滑り止め部と、
を備えた自転車用変速操作装置。
【発明の詳細な説明】
【技術分野】
【０００１】
本発明は、操作装置、特に、自転車に取り付けられる自転車用変速操作装置に関する。
【背景技術】
【０００２】
自転車には、内装変速装置や外装変速装置などの変速装置が搭載されているものがある。これらの変速装置の変速操作を行うために、変速ケーブルを介して変速装置と連結された変速操作装置が用いられている。従来の変速操作装置は、ハンドルバーに装着される装着部と、装着部に揺動可能に装着された第１及び第２操作レバーと、装着部に装着されたケーブル係止体と、第１及び第２操作レバーの操作に応じてケーブル係止体を複数の変速位置に対応した位置に保持する位置保持機構と、を備えている。第１操作レバーは、ケーブル係止体をケーブル引張方向に移動操作するためのものであり、第２操作レバーは、ケーブル係止体をケーブル戻し方向に移動操作するために設けられている。
【０００３】
このような構成の従来の変速操作装置では、第１操作レバーを親指で押し込み操作すると、ケーブル係止体が、たとえば変速位置毎にケーブル引張方向に移動し、第１操作レバーを人差し指で引き込み操作すると、ケーブル係止体が変速位置毎にケーブル戻し方向に移動する。
【特許文献１】特開平８−３１８８８８号公報
【発明の開示】
【発明が解決しようとする課題】
【０００４】
前記従来の構成では、第１又は第２操作レバーを押し込み又は引き込み操作する際に、指先が滑って第１又は第２操作レバーから外れることがある。このような指先が操作レバーから外れると、変速操作を確実に行えなくなり、スムーズに変速できない。
【０００５】
本発明の課題は、操作部材を有する変速操作装置において、変速操作を確実に行えるようにすることにある。
【課題を解決するための手段】
【０００６】
発明１に係る自転車用変速操作装置は、装着部と、少なくとも一つの操作部材と、ケーブル係止体と、位置保持機構と、滑り止め部と、を備えている。装着部は、自転車に装着可能ものである。操作部材は、操作面を有し、装着部に移動可能に装着されたものである。ケーブル係止体は、装着部に移動可能に装着され、変速ケーブルが係止されるものである。位置保持機構は、装着部に支持され、操作部材の操作に応じてケーブル係止体を変速装置の複数の変速位置に対応した位置に保持する機構である。滑り止め部は、操作部材の操作面に操作部材と別の材質で設けられたものである。
【０００７】
この変速操作装置では、操作面に指先を接触させて操作部材を押し込み又は引き込み操作すると、その操作に応じて位置保持機構がケーブル係止体を変速位置に対応した位置に移動させて保持する。ケーブル係止体が移動すると、変速ケーブルで連結された変速装置が変速動作する。この操作部材の操作時に操作面には、操作部材と別の材質の滑り止め部が一体又は別体で設けられている。このため、押圧又は引き込み操作の際に指先が滑りにくくなる。ここでは、操作部材の操作面に操作部材と別の材質の滑り止め部を設けたので、変速操作時に操作する指先が滑りにくくなり、変速操作を確実に行えるようになる。
【発明の効果】
【０００８】
本発明によれば、操作部材の操作面に操作部材と別の材質の滑り止め部を設けたので、変速操作時に操作する指先が滑りにくくなり、変速操作を確実に行えるようになる。
【発明を実施するための最良の形態】
【０００９】
図１から図３において、本発明の一実施形態による自転車変速操作装置１０は、自転車のハンドルバー１２の端部に装着されるものである。変速操作装置１０は、たとえば、図示しない、リア変速装置、好ましくはリアディレーラを変速操作するための装置である。なお、フロントディレーラを変速操作するための変速操作装置も変速段数が異なるとともに、変速操作装置１０と左右対称の構成である点を除いて同様な構成であるので説明を省略する。
【００１０】
変速操作装置１０は、自転車のハンドルバー１２に装着可能な装着部２０と、装着部２０に移動可能に装着された巻取レバー（操作部材の一例）２２及び解除レバー（操作部材の一例）２４と、装着部２０に装着されたケーブル係止体２６と、ケーブル係止体２６を変速位置に応じた位置に保持する位置保持機構２８と、変速位置を表示する変速位置表示部３０と、巻取レバー２２及び解除レバー２４とにそれぞれ設けられた滑り止め部３２及び滑り止め部３３（図３参照）とを備えている。
【００１１】
装着部２０は、図２に示すように、ハンドルバーに固定可能なクランプ部３４ａを有する、たとえば金属製のブラケット３４と、ブラケット３４の上面を覆う、たとえば、合成樹脂製の蓋部材３６とを有している。ブラケット３４には、巻取レバー２２や解除レバー２４が揺動自在に装着されるとともに、ケーブル係止体２６や位置保持機構２８が回動自在に装着される。また、ブラケット３４には、ブレーキレバー４０も揺動自在に装着されている。
【００１２】
蓋部材３６は、図２に示すように、ブラケット３４に装着されたケーブル係止体２６や位置保持機構２８等を覆うように中央部分が３次元的に脹らんだ形状に形成されている。蓋部材３６の取付状態で後方に位置する面には、変速位置表示部３０を外部から視認可能な開口３８が設けられている。この開口３８がカバー部材３１により覆われている。
【００１３】
巻取レバー２２及び解除レバー２４は、ブラケット３４に揺動自在に装着されている。巻取レバー２２には、ケーブル係止体２６をケーブル巻取方向（ケーブル引張方向の一例）に送る公知の送り爪が連結されている。解除レバー２４には、ケーブル係止体２６をケーブル解除方向（ケーブル戻し方向の一例）に戻す公知の位置決め爪や一気回転防止爪が連結されている。
【００１４】
巻取レバー２２は、図４及び図５に示すように、ブラケット３４に、好ましくはケーブル係止体２６と同芯に揺動自在に装着された、たとえば金属製のレバー部材４１と、レバー部材４１の先端に固定された、たとえば合成樹脂製のつまみ部材４２とを有している。解除レバー２４は、ブラケット３４に揺動自在に装着された金属製のレバー部材４４と、レバー部材４４の先端に固定された、たとえば合成樹脂製のつまみ部材４５とを有している。つまみ部材４２，４５には、操作時に指先が接触する操作面４２ａ，４５ａが形成されている。巻取レバー２２の操作面４２ａは、外側に突出する湾曲面で構成され、解除レバー２４の操作面４５ａは、内側に凹む湾曲面で構成されている。この操作面４２ａ，４５ａは、滑り止め部３２，３３が配置される取付面４２ｂ，４５ｂをそれぞれ有している。取付面４２ｂ，４５ｂは、操作面４２ａ，４５ａに、滑り止め部３２，３３の輪郭と同様な形状に形成され、かつ滑り止め部３２，３３の厚みと同等の深さで凹んで形成されている。
【００１５】
巻取レバー２２は、たとえば、右手の親指で押し込み操作され、巻取レバー２２が押し込み操作されるとケーブル係止体２６がケーブル巻取方向に回動する。解除レバー２４は、たとえば、右手の人差し指で引き込み操作され、解除レバー２２が引き込み操作されるとケーブル係止体２６がケーブル解除方向に回動する。
【００１６】
ケーブル係止体２６は、図２に示すように、変速ケーブル４６のインナーケーブル４６ａの先端を係止して巻取可能なものであり、位置保持機構２８に連動して回動する。
【００１７】
位置保持機構２８は、巻取レバー２２及び解除レバー２４の操作に応じて回動する位置決め体（図２参照）２８ａを有しており、ケーブル係止体２６は、位置決め体２８ａと一体回転する。
【００１８】
変速位置表示部３０は、ケーブル係止体２６の上部に配置されケーブル係止体２６と一体回転可能に連結されている。変速位置表示部３０の上面には円錐台形状の表示面３０ａが形成されており、表示面３０ａには、変速位置を示す、たとえば１から７の数値が描かれている。
【００１９】
滑り止め部３２，３３は、たとえば、合成ゴム、発泡合成樹脂、及びコルクの少なくともいずれかを含む滑りにくい弾性体製のシート状の部材であり、図４に示すように、取付面４２ｂ，４５ｂにたとえば、接着剤などの適宜の固着手段により固定されている。滑り止め部３２，３３は、取付面４２ｂ，４５ｂに取り付けられる形状を有している。したがって、滑り止め部３２は、外側に向かって突出して形成され、滑り止め部３３は、内側に向かって凹んで形成されている。滑り止め部３２，３３は、取付面４２ｂ，４５ｂの深さと同じ厚みを有しており、取付面４２ｂ，４５ｂに固定した状態で、取付面４２ｂ，４５ｂの周囲の操作面４２ａ，４５ａと段差や隙間が生じないようになっている。
【００２０】
このような構成の変速操作装置１０では、変速を行う場合、巻取レバー２２又は解除レバー２４を押し込み又は引き込み操作する。巻取レバー２２で変速操作する際には、親指の指先で滑り止め部３２を押し込み操作し、巻取レバー２２を図２反時計回りに所定角度回動させる。すると、ケーブル係止体２６が位置保持機構２８により、１変速段シフトダウン方向に回動する。解除レバー２４で変速操作する際には、親指の指先で滑り止め部３３を引き込み操作し、解除レバー２４を図２時計回りに所定角度回動させる。すると、ケーブル係止体２６が位置保持機構２８により、１変速段シフトアップ方向に回動する。
【００２１】
この変速操作の際にいずれのレバー２２，２４にも操作面４２ａ，４５ａに滑り止め部３２，３３が設けられているので、変速操作時に操作する指先が滑りにくくなり、変速操作を確実に行えるようになる。
【００２２】
＜他の実施形態＞
（ａ）前記実施形態では、滑り止め部３２，３３を接着剤により固定したが、固定手段は、接着剤に限定されず、ねじ止めや弾性係止や溶着などの適宜の固定手段を採用できる。
【００２３】
（ｂ）前記実施形態では、滑り止め部３２，３３を別体で構成したが、インサート成形などにより操作部材と一体形成してもよい。
【００２４】
（ｃ）前記実施形態では、揺動する２つのレバーで構成される操作部材を例示したが、操作部材は、移動するものであればどのような形態でもよい。操作部材が１本のレバーの場合、操作部材の操作方向に応じて滑り止め部を２箇所設けるのが好ましい。
【図面の簡単な説明】
【００２５】
【図１】本発明の一実施形態による自転車用変速操作装置の平面斜視図。
【図２】その分解斜視図。
【図３】その背面斜視図。
【図４】巻取レバーの平面斜視図。
【図５】解除レバーの背面斜視図。
【符号の説明】
【００２６】
１０  変速操作装置
２０  装着部
２２  巻取レバー（操作部材及び第１操作部材の一例）
２４  解除レバー（操作部材及び第２操作部材の一例）
２６  ケーブル係止体
２８  位置保持機構
３２，３３  滑り止め部
４２ａ，４５ａ  操作面
４２ｂ，４５ｂ  取付面
４６  変速ケーブル
【図１】
2007320510.tif 000003
【図２】
2007320510.tif 000004
【図３】
2007320510.tif 000005
【図４】
2007320510.tif 000006
【図５】
2007320510.tif 000007